(57)【要約】【課題】従来の雨水貯留装置と比較して採水時の利便性を向上させることが可能にする雨水貯留装置を提供する。【解決手段】開閉弁６によって開閉する雨水取出孔５を備えた雨水貯留槽２と、雨水取出孔５の下方に変位可能に設置され、雨水取出孔５から排出された雨水Ｗを受ける容器２０を載置するための載置台４と、載置台４の変位に連動して開閉弁６を開閉操作する弁開閉機構７とを備えて構成する。また、載置台４は、弾性部材２１により上下方向に変位可能に支持され、弁開閉機構７は、載置台４が下方へ変位したときに、この変位に連動して開閉弁６を操作するリンク機構とする。【選択図】図３
2011196062.tif 000002
【特許請求の範囲】
【請求項１】
開閉弁によって開閉する雨水取出孔を備えた雨水貯留槽と、
前記雨水取出孔の下方に変位可能に設置され、前記雨水取出孔から排出された雨水を受ける容器を載置するための載置台と、
前記載置台の変位に連動して前記開閉弁を開閉操作する弁開閉機構とを備えて構成されていることを特徴とする雨水貯留装置。
【発明の詳細な説明】
【技術分野】
【０００１】
本発明は、従来あまり利用されていなかった雨水を新たな水資源として有効利用するための雨水貯留装置に関する。
【背景技術】
【０００２】
近年の全国的な少雨傾向、都市用水を中心とした将来的な水需要の増加などを背景に、上水道の使用量を削減することが求められている。そして、対策の一つとして、宅地内に雨水貯留槽を備えた雨水貯留装置を設置して雨水を一時的に貯留し、庭や草木の水やり、洗車などに用いる飲み水以外の雑用水をある程度雨水貯留槽に貯留した雨水で賄うようにして、従来あまり利用されていなかった雨水を新たな水資源として活用することが全国的に進められている。
【０００３】
また、雨水貯留装置は、節水効果だけでなく、都市化（市街化）の進展に伴い、都市型集中豪雨などの大雨時に河川に雨水が急激に流入することを抑制して浸水被害を防止する効果や、防火効果、ヒートアイランド現象の抑止効果など、多くの効果をもたらすため、その普及が大きな期待を集めている。
【０００４】
一方、この種の雨水貯留装置は、従来、雨水貯留槽に雨樋（竪樋）に繋げて雨水を取り込み、雨水貯水槽に設けた蛇口を操作して雨水を排出させ、バケツやジョウロなどの容器に採水するように構成されている（例えば、特許文献１参照）。なお、駐車場などの地下に雨水貯留槽を埋設し、埋設管を通じて竪樋から雨水を取り込み、電動ポンプを駆動することによって、貯留した雨水を採水するように構成したものもある。
【先行技術文献】
【特許文献】
【０００５】
【特許文献１】特開２００６−２９９５０９号公報
【発明の概要】
【発明が解決しようとする課題】
【０００６】
しかしながら、上記従来の雨水貯留槽に取り付けた蛇口で雨水を採水する雨水貯留装置においては、雨水貯留槽内の雨水残量が少なくなり、水圧が低下すると、蛇口からの雨水の排出量が急激に減少し、採水に時間がかかるという問題があった。また、蛇口を操作して雨水を採水する場合には、バケツやジョウロなど、雨水を移し替える容器から雨水がオーバーフローしないように監視していることが必要になる。特に、雨水の残量が少なく、水圧が低下した状態では、長い時間監視を続けることが必要になってしまう。このため、採水時の利便性を向上させることが強く望まれていた。
【０００７】
なお、タイマー付電動ポンプを使用することによって監視を不要にできるが、製造コストが上昇し、また、電力消費による環境負荷が発生するという不都合が生じてしまう。
【課題を解決するための手段】
【０００８】
請求項１記載の雨水貯留装置は、開閉弁によって開閉する雨水取出孔を備えた雨水貯留槽と、前記雨水取出孔の下方に変位可能に設置され、前記雨水取出孔から排出された雨水を受ける容器を載置するための載置台と、前記載置台の変位に連動して前記開閉弁を開閉操作する弁開閉機構とを備えて構成されていることを特徴とする。
【発明の効果】
【０００９】
請求項１記載の雨水貯留装置においては、従来の蛇口ではなく、雨水貯留槽の雨水取出孔を開閉する開閉弁を設け、弁開閉機構によって載置台の変位に連動して開閉弁を開閉操作するようにしたことで、容器を載置して載置台を変位させるだけで、開閉弁を開き、雨水貯留槽内の雨水を排出させて容器に採水する（取り出す）ことが可能になる。そして、このように雨水取出孔を開閉弁で開閉して容器に採水するように構成することにより、雨水貯留槽内の雨水残量が少なくなって水圧が低下した場合においても、従来の蛇口と比較して採水に要する時間を短縮することが可能になる。また、弁開閉機構を介して、開閉弁が載置台の変位に連動して開閉操作されるため、載置台の変位量に応じて開閉弁を開閉させることが可能になる。このため、容器内の雨水量が一定量に達した際に自動的に採水（雨水の取り出し）を停止させることも可能になり、容器から雨水がオーバーフローしないように監視することを不要にできる。
【００１０】
これにより、従来の雨水貯留装置と比較して採水時の利便性を向上させることが可能になる。また、電動ポンプを使用することなく（電力を消費することなく）雨水を容器に移し替えることができるため、製造コストの上昇や電力消費による環境負荷の発生を招くことがない。
【図面の簡単な説明】
【００１１】
【図１】本発明の一実施形態に係る雨水貯留装置を示す正面図である。
【図２】本発明の一実施形態に係る雨水貯留装置を示す側面図である。
【図３】本発明の一実施形態に係る雨水貯留装置を示す断面図である。
【図４】本発明の一実施形態に係る雨水貯留装置の雨水貯留槽が備える開閉弁（ピストン弁）を示す斜視図である。
【図５】本発明の一実施形態に係る雨水貯留装置の容器を示す図である。
【図６】本発明の一実施形態に係る雨水貯留装置で容器に雨水を採水する状況を示す図である。
【図７】雨水貯留装置の雨水貯留槽が備える開閉弁の変形例（バタフライ弁）を示す斜視図である。
【図８】本発明の一実施形態に係る雨水貯留装置の変形例を示す断面図であり、開閉弁としてバタフライ弁を備えた雨水貯留装置を示す図である。
【図９】雨水貯留装置の雨水貯留槽が備える開閉弁の変形例（スライド弁）を示す斜視図である。
【図１０】本発明の一実施形態に係る雨水貯留装置の変形例を示す断面図であり、載置台を基台上に水平方向に変位可能に支持させ、載置台が水平方向に変位したときに、この変位に連動して開閉弁を操作するリンク機構を備えた雨水貯留装置を示す図である。
【図１１】図１０の雨水貯留装置において、載置台を固定する固定構造を示す斜視図である。
【発明を実施するための形態】
【００１２】
以下、図１から図６を参照し、本発明の一実施形態に係る雨水貯留装置について説明する。本実施形態は、従来あまり利用されていなかった雨水を、庭や草木の水やり、洗車など、飲み水以外の雑用水として有効利用するための雨水貯留装置に関するものである。
【００１３】
本実施形態の雨水貯留装置Ａは、図１及び図２に示すように、竪樋１から雨水Ｗを受けて一時的に貯留する雨水貯留槽２と、雨水貯留槽２の下方に設けられて雨水貯留槽２を支持する基台３と、雨水貯留槽２と基台３の間に配設された載置台４とを備えて構成されている。
【００１４】
雨水貯留槽２は、上端（上端面）に竪樋取付部２ａが設けられ、この竪樋取付部２ａに竪樋１の下端部側を繋げることで、竪樋１から雨水Ｗを内部に受けて一時的に貯留するように構成されている。また、この雨水貯留槽２には、内部の雨水Ｗが一定量以上になると随時オーバーフローさせて排水管等に排出するためのオーバーフロー管２ｂが上端側の側面に一端を繋げて設けられている。さらに、手動で内部の雨水Ｗを取り出すことができるように下端側の側面にコック２ｃが設けられている。
【００１５】
さらに、本実施形態の雨水貯留装置Ａにおいては、図３（及び図１、図２）に示すように、雨水貯留槽２の下端（下端面）に雨水取出孔５が形成されており、この雨水取出孔５を開閉する開閉弁６と、開閉弁６を開閉操作するためのリンク機構（弁開閉機構）７を備えている。
【００１６】
本実施形態の開閉弁６は、いわゆるピストン弁であり、図３及び図４に示すように、雨水貯留槽２の下端に、雨水貯留槽２の内部と外部を連通させるように軸線Ｏ１方向を上下方向に向けて貫設された筒体６ａと、雨水貯留槽２の内部に上下方向に進退可能に設けられた弁体６ｂとを備えて構成されている。そして、この開閉弁６では、弁体６ｂが下方に進出（前進）して筒体６ａの上端部側に嵌合すると、筒体６ａの開口を閉塞して雨水取出孔５が閉じる。また、弁体６ｂが上方に退避（後退）すると、筒体６ａの開口を開放して雨水取出孔５が開き、雨水貯留槽２内に貯留した雨水Ｗが雨水取出孔５から排出される。
【００１７】
リンク機構７は、開閉弁６の弁体６ｂを上下方向に進退させるためのものであり、図３（及び図１、図２）に示すように、一端８ａを弁体６ｂに繋げて上下方向に延設された棒状の第１リンク部材８と、第１リンク部材８の他端８ｂに一端９ａを回動自在に繋げて（ピン結合して）設けられた棒状の第２リンク部材９と、第２リンク部材９の他端９ｂに一端１０ａを回動自在に繋げて（ピン結合して）上下方向に延設され、且つ雨水貯留槽２の下端を上下方向に摺動自在に貫通して設けられた棒状の第３リンク部材１０と、下端１１ａを載置台４に固定して上下方向に延設された棒状の第４リンク部材１１とを備えて構成されている。
【００１８】
また、このリンク機構７においては、第１リンク部材８が、雨水貯留槽２に固設した支持部材１２によって上下方向に進退自在に支持されている。さらに、第２リンク部材９は、延設方向略中央を、水平方向に延び、雨水貯留槽２に軸支された回動軸１３に繋げて支持され、回動軸１３周りに回動自在に設けられている。また、第１バネ部材１４が、雨水貯留槽２の下端に一端を固定し、他端を第２リンク部材９の回動軸１３よりも他端９ｂ側に繋げて雨水貯留槽２内に設けられており、第２リンク部材９は、第１バネ部材１４によって他端９ｂ側が上方に付勢されている。
【００１９】
さらに、第３リンク部材１０は、雨水貯留槽２の下端に設けられたゴムパッキンなどからなる密閉構造１５を通じて、雨水貯留槽２の下端を上下方向に摺動自在に貫通して設けられている。そして、第３リンク部材１０が雨水貯留槽２に貫設されていても、密閉構造１５によって雨水貯留槽２内の雨水Ｗが外部に漏出することが防止されている。また、この第３リンク部材１０の他端１０ｂには、横方向（水平方向）に突出する第１弾性体１６が取り付けられ、さらに、第４リンク部材１１の上端１１ｂにも、横方向（水平方向）に突出する第２弾性体１７が取り付けられ、第１弾性体１６と第２弾性体１７が上下方向に重なるように配設されている。
【００２０】
一方、載置台４は、雨水貯留槽２の雨水取出孔５から排出された雨水Ｗを受ける容器２０を載置するためのものであり、基台３と雨水貯留槽２の上下方向の間に配設されている。また、載置台４は、基台３に下端を固定して設けられた第２バネ部材（弾性部材）２１の上端に繋げて、上下方向に変位可能に支持されている。さらに、載置台４は、雨水貯留槽２との上下方向の間に容器２０を容易に挿入して載置できるだけの空間が確保されるように配設されている。
【００２１】
また、この載置台４に載置して雨水Ｗを受ける容器２０には、例えば、庭や草木の水やりなどに使用されるジョウロ型の容器（図５（ａ）参照）や、洗車、庭や草木の水やりなどに使用されるホース型の容器（図５（ｂ）参照）、防火用の容器（図５（ｃ）参照）などのカートリッジ型の容器を用いる。勿論、バケツなど、カートリッジ型ではない容器２０を用いてもよく、容器２０の形状、用途などを特に限定する必要はない。
【００２２】
上記構成からなる本実施形態の雨水貯留装置Ａにおいては、図１から図３に示すように、降雨時に屋根から流れ落ちる雨水Ｗが軒樋、集水器、呼び樋を通じて竪樋１に流れ込み、この竪樋１から雨水貯留槽２に流れ込んで貯留される。また、雨水貯留槽２内に一定量以上の雨水Ｗが貯留された場合には、竪樋２から雨水Ｗがさらに流れ込むとともにオーバーフロー管２ｂを通じて余分な雨水Ｗが排水管等に排出される。
【００２３】
一方、雨水貯留槽２から雨水Ｗを取り出す際には、載置台４に容器２０を載せる。容器２０を載せると、図６（ａ）及び図６（ｂ）に示すように、容器２０の重さ（自重）で、載置台４を支持する第２バネ部材２１が縮み、載置台４が下方に変位する。そして、載置台４が下方に変位するとともにリンク機構７の第４リンク部材１１が下方に変位し、第４リンク部材１１の第２弾性体１７が第３リンク部材１０の第１弾性体１６に当接して、これら第１弾性体１６と第２弾性体１７が互いに弾性変形しながら第３リンク部材１０を下方に引っ張って変位させる。このように第３リンク部材１０が下方に変位すると、第２リンク部材９の他端９ｂが第３リンク部材１０によって下方に引っ張られて変位する。さらに、回動軸１３周りに回動して第２リンク部材９の一端９ａが上方に変位し、第１リンク部材８が上方に引っ張られて変位する。
【００２４】
これにより、雨水取出孔５を閉塞している弁体６ｂが上方に変位（後退）して、雨水取出孔５が開放される。このように、載置台４に容器２０を載せるだけで、容器２０の自重によって載置台４が下方に変位し、この載置台４の変位に連動して開閉弁６が操作されて弁体６ｂが上方に変位するため、自動的に雨水取出孔５が開き、雨水貯留槽２の内部に貯留された雨水Ｗが雨水取出孔５から排出されて容器２０に溜まってゆく（採水される）。
【００２５】
また、図６（ｃ）に示すように、雨水Ｗが順次容器２０に溜まってゆくと、容器２０と雨水Ｗの重さ（自重）でさらに載置台４が下方に変位してゆく。このため、容器２０内の雨水Ｗの量が増えるにつれ、リンク機構７によって弁体６ｂが徐々に上方に変位してゆき、雨水取出孔５が徐々に大きく開くことになる。これにより、雨水貯留槽２内の雨水残量が少なくても、雨水貯留槽２から容器２０に排出される雨水Ｗの排出量が徐々に増えてゆくため、従来の蛇口を備えた雨水貯留装置と比較し、採水に要する時間が短くなる。
【００２６】
次に、図６（ｄ）に示すように、ある位置まで載置台４ひいては第４リンク部材１１が下がると、弾性変形しながら当接状態を保持していた第１弾性体１６と第２弾性体１７の係合が外れ、互いの当接状態が解除される。そして、このように第１弾性体１６と第２弾性体１７の当接状態が解除されると、リンク機構７の第１バネ部材１４によって第２リンク部材９の他端９ｂ側が上方に付勢されているため、回動軸１３周りに第２リンク部材９が回動し、第３リンク部材１０が上方に引き上がって変位し、さらに第１リンク部材８が下方に下がり、再度弁体６ｂが筒体６ａに嵌合して雨水取出孔５を閉塞する。これにより、容器２０内の雨水Ｗの量がある一定量に達するとともに雨水貯留槽２の内部に貯留された雨水Ｗの排出が自動的に停止する。
【００２７】
したがって、本実施形態の雨水貯留装置Ａにおいては、従来の蛇口ではなく、雨水貯留槽２の雨水取出孔５を開閉する開閉弁６を設け、リンク機構（弁開閉機構）７によって載置台４の変位に連動して開閉弁６を操作するようにしたことで、容器２０を載置して載置台４を変位させるだけで、開閉弁６を開き、雨水貯留槽２内の雨水Ｗを排出させて容器２０に採水する（取り出す）ことが可能になる。
【００２８】
また、このとき、載置台４が第２バネ部材（弾性部材）２１により上下方向に変位可能に支持され、リンク機構７によって載置台４の下方への変位に連動して開閉弁６が開閉操作されるため、載置台４に載置する容器２０や容器２０内の雨水Ｗの重さ（自重）に応じて開閉弁６を開閉操作することが可能になる。これにより、載置台４に容器２０を載置するだけで開閉弁６を自動的に開いて採水することができ、容器２０内の雨水Ｗが一定量に達するとともに自動的に開閉弁６を閉じて、採水を停止させることが可能になる。
【００２９】
そして、このように雨水取出孔５を開閉弁６で開閉して容器２０に採水するように構成することにより、雨水貯留槽２内の雨水残量が少なくなって水圧が低下した場合においても、従来の蛇口と比較して採水に要する時間を短縮することが可能になる。また、容器２０内の雨水量が一定量に達した際に自動的に採水を停止させることができるため、容器２０から雨水Ｗがオーバーフローしないように監視することを不要にできる。
【００３０】
よって、本実施形態の雨水貯留装置Ａによれば、従来の雨水貯留装置と比較して採水時の利便性を向上させることが可能になる。また、電動ポンプを使用することなく（電力を消費することなく）雨水Ｗを容器２０に移し替えることができるため、製造コストの上昇や電力消費による環境負荷の発生を招くこともない。
【００３１】
以上、本発明に係る雨水貯留装置の一実施形態について説明したが、本発明は上記の一実施形態に限定されるものではなく、その趣旨を逸脱しない範囲で適宜変更可能である。例えば、本実施形態では、開閉弁６がピストン弁であるものとして説明を行ったが、本発明に係る開閉弁は、ピストン弁に限定する必要はない。例えば図７に示すように、筒体２２ａと、筒体２２ａに軸受け支持された回転軸２２ｂに一体に繋げて設けられた円板状の弁体２２ｃとを備え、回転軸２２ｂを軸線Ｏ２周りに回転させることにより、円板状の弁体２２ｃを回動させ、この弁体２２ｃの回動によって筒体２２ａの開口（雨水取出孔５）を開閉するバタフライ弁（開閉弁２２）であってもよい。そして、バタフライ弁を開閉弁２２として用いる場合には、例えば、図７及び図８に示すように、第３リンク部材１０の他端１０ｂを載置台４に固定し、第１リンク部材８にラック２３を設け、さらに回転軸２２ｂに取り付けたピニオン２４をラック２３に噛合させて、弁開閉機構（リンク機構７）ひいては雨水貯留装置Ａを構成すればよい。このように構成した雨水貯留装置Ａにおいては、載置台４に容器２０を載せ、その自重で載置台４が下方に変位すると、本実施形態と同様に、第３リンク部材１０が下方に引っ張られ、第１リンク部材８が上方に引き上がる。このため、ラック２３が上方に引き上がり、ピニオン２４ひいては回転軸２２ｂが回転するとともに弁体２２ｃが回動して、雨水取出孔５が開く。これにより、載置台４の変位に連動して開閉弁２２が操作されて雨水貯留槽２内の雨水Ｗを容器２０に取り出すことができる。
【００３２】
また、例えば、図８に示すように、基台３に固定して規制部材２５を設けておき、容器２０内の雨水Ｗが一定量に達するとともに載置台４に規制部材２５が当接するようにし、この規制部材２５によって載置台４の下方への変位を規制するとともに弁体２２ｃが雨水取出孔５を閉じるようにすれば、自動的に採水を停止させることができる。よって、本実施形態と同様の作用効果を得ることが可能である。
【００３３】
また、開閉弁は、例えば図９に示すように、筒体２６ａと、筒体２６ａに対し水平方向に板状の弁体２６ｂがスライド移動して筒体２６ａの開口（雨水取水孔５）を開閉するスライド弁２６であってもよい。そして、例えば、図９及び図１０に示すように、第３リンク部材１０の他端１０ｂを載置台４に回動自在に繋げ（ピン結合し）、この第３リンク部材１０の延設方向略中央を、回動軸２７を介して密閉構造１５に横方向（水平方向）に変位可能に、且つ回動軸２７周りに回動可能に繋げて支持させる。また、第１リンク部材８の一端８ａを弁体２６ｂに回動自在に繋げ（ピン結合し）、この第１リンク部材８においても、延設方向略中央を、回動軸２８を介して雨水貯留槽２に回動軸２８周りに回動可能に繋げて支持させる。さらに、第２リンク部材９の一端９ａを第１リンク部材８の他端８ｂに、第２リンク部材９の他端９ｂを第３リンク部材１０の一端１０ａにそれぞれ、回動自在に繋げて（ピン結合して）、リンク機構（弁開閉機構）７を構成してもよい。
【００３４】
さらに、このとき、図１０及び図１１に示すように、基台３上に載置台４を水平方向に移動可能に載置し（変位可能に支持させ）、載置台４の前端と基台３の水平方向の間に第３バネ部材（弾性部材）２９を設ける。また、載置台４の上面の所定位置に、上面から上方に突出する位置決め部３０を設ける。さらに、基台３の上面の所定位置に設けられ、上方に突出する係止受け部３１と、載置台４に設けられ、基台３の係止受け部３１に着脱可能に係止する係止部３２を備えた係止部材３３とからなる固定構造を設けて、雨水貯留装置Ａを構成してもよい。
【００３５】
そして、このように構成した雨水貯留装置Ａにおいては、図１０に示すように、容器２０を載置台４に載せ、水平方向の前方（一方向）に押すと、容器２０が位置決め部３０に当接して所定位置に位置決めされるとともに、位置決め部３０が容器２０で押されて載置台４が前方に移動（変位）する。このように載置台４が前方に移動するとともに第３リンク部材１０の他端１０ｂも載置台４に従動して前方に移動し、第３リンク部材１０が回動軸２７周りに回動する。第３リンク部材１０が回動すると、第２リンク部材９が水平方向の後方（他方向）側に変位し、これとともに第１リンク部材８の他端８ｂが後方側に変位する。これにより、第１リンク部材８が回動軸２８周りに回動し、一端８ａが水平方向の前方側に変位して、弁体２６ｂが筒体２６ａに対してスライド移動し、雨水取出孔５が開く。よって、容器２０を載置台４に載置するとともに載置台４を前方に移動させるだけで、載置台４の変位に連動して開閉弁２６を操作し、自動的に雨水取出孔５を開くことができ、雨水貯留槽２内の雨水Ｗを容器２０に取り出すことが可能になる。
【００３６】
また、図１０及び図１１に示すように、雨水取出孔５から排出された雨水Ｗを受ける所定位置に容器２０を配置した段階で、係止部材３３を手動で操作して係止部３２を基台３の係止受け部３１に係止させることにより、第３バネ部材２９で後方に付勢された載置台４ひいてはこの載置台４に載置した容器２０を所定位置に固定することができ、且つ開閉弁２６を開いた状態で保持することができる。
【００３７】
そして、容器２０内の雨水Ｗが一定量に達した段階で、係止部材３３を手動で操作して係止部３２と係止受け部３１の係止状態を解除すると、第３バネ部材２９に付勢されて載置台４及び容器２０が後方に移動（変位）し、雨水Ｗを入れた容器２０を容易に取り出すことが可能になる。また、このように載置台４が後方に移動するとともに、リンク機構７によって弁体２６ｂがスライド移動して雨水取出孔５が自動的に閉じ、採水を停止させることが可能になる。
【００３８】
よって、本実施形態と同様に、従来の雨水貯留装置と比較して採水時の利便性を向上させることが可能になる。また、電動ポンプを使用することなく（電力を消費することなく）雨水Ｗを容器２０に移し替えることができるため、製造コストの上昇や電力消費による環境負荷の発生を招くことがない。
【符号の説明】
【００３９】
１      竪樋
２      雨水貯留槽
２ａ    竪樋取付部
２ｂ    オーバーフロー管
２ｃ    コック
３      基台
４      載置台
５      雨水取出孔
６      開閉弁
６ａ    筒体
６ｂ    弁体
７      リンク機構（弁開閉機構）
８      第１リンク部材
８ａ    一端
８ｂ    他端
９      第２リンク部材
９ａ    一端
９ｂ    他端
１０    第３リンク部材
１０ａ  一端
１０ｂ  他端
１１    第４リンク部材
１１ａ  下端
１１ｂ  上端
１２    支持部材
１３    回動軸
１４    第１バネ部材
１５    密閉構造
１６    第１弾性体
１７    第２弾性体
２０    容器
２１    第２バネ部材（弾性部材）
２２    開閉弁
２２ａ  筒体
２２ｂ  回転軸
２２ｃ  弁体
２３    ラック
２４    ピニオン
２５    規制部材
２６    開閉弁
２６ａ  筒体
２６ｂ  弁体
２７    回動軸
２８    回動軸
２９    第３バネ部材（弾性部材）
３０    位置決め部
３１    係止受け部
３２    係止部
３３    係止部材
Ａ      雨水貯留装置
Ｏ１    筒体の軸線
Ｏ２    回転軸の軸線
Ｗ      雨水
【図１】
2011196062.tif 000003
【図２】
2011196062.tif 000004
【図３】
2011196062.tif 000005
【図４】
2011196062.tif 000006
【図５】
2011196062.tif 000007
【図６】
2011196062.tif 000008
【図７】
2011196062.tif 000009
【図８】
2011196062.tif 000010
【図９】
2011196062.tif 000011
【図１０】
2011196062.tif 000012
【図１１】
2011196062.tif 000013